(57)【特許請求の範囲】
【請求項１】
作業用マスクとヘルメットとの間を接続する作業用マスク装着具であって、ヘルメットの縁部を保持可能な保持部が一端側に設けられた第１のプレートと、一端側が第１のプレートの他端側に折り返し可能に連結され且つ作業用マスクの端部が他端側に接続可能である第２のプレートとを具備し、第１、第２のプレートには両プレートの外面同士が重なる閉状態を解除可能に維持するための第１の固定手段が設けられ、第２のプレートの全体又は一部が第１のプレートに対して開状態だけでなく閉状態においても回動可能になっていることを特徴とする作業用マスク装着具。
【請求項２】
請求項１記載の作業用マスク装着具において、第１の固定手段は、第２のプレートに設けられた爪部と、第１のプレートのプレート本体部の面上に形成され且つ前記爪部が挿入された状態で当該爪部と係合する円弧穴とを有していることを特徴とする作業用マスク装着具。
【請求項３】
請求項１記載の作業用マスク装着具において、第１のプレート及び第２のプレートが全体として略く字状に折り曲げられており、第１のプレートについては、前記プレート本体部が前記ヘルメットの縁部に対して平行に配置された前記保持部に対して約３０°〜５０°傾いた位置関係にあり、第２のプレートについては、第１のプレートのプレート本体部に対して約１２０°〜１５０°傾いた位置関係にあることを特徴とする作業用マスク装着具。
【請求項４】
請求項１記載の作業用マスク装着具において、第２のプレートは、一端側が第１のプレートの他端側に折り返し可能に連結された固定プレート部と、一端側が固定プレート部の他端側に回動自在に連結され且つ作業用マスクの端部が他端側に接続可能である可動プレート部とを有していることを特徴とする作業用マスク装着具。
【請求項５】
請求項４記載の作業用マスク装着具において、第２のプレートの固定プレート部には、可動プレート部の一部に接触してその回動角範囲を規制するストッパーが設けられていることを特徴とする作業用マスク装着具。
【請求項６】
請求項４記載の作業用マスク装着具において、第２のプレートは、前記固定プレート部及び可動プレート部から構成されたメインプレートと、一端側がメインプレートの他端側に折り返し可能に連結され且つ他端側に作業用マスクの紐が通される挿通用穴が形成されたサブプレートとを備え、メインプレート、サブプレートには両プレートの内面同士が重なる閉状態を解除可能に維持するための第２の固定手段が設けられていることを特徴とする作業用マスク装着具。
【請求項７】
請求項６記載の作業用マスク装着具において、第２の固定手段は、前記メインプレートの可動プレート部の内面上に設けられた凸部と、前記サブプレートの内面上に形成され且つ前記凸部が挿入された状態で当該凸部と係合する凹部とを有していることを特徴とする作業用マスク装着具。
【請求項８】
請求項１記載の作業用マスク装着具において、第１のプレートは、前記保持部がプレート本体部の厚み方向に向けて張り出して設けられていることを特徴とする作業用マスク装着具。
【請求項９】
請求項１記載の作業用マスク装着具において、第１のプレートの保持部は、前記ヘルメットの縁部に沿ってその下方に対向配置されるベース部と、このベース部の内側に立設され且つ前記ヘルメットの縁部の内側に接触する直線板状の内側爪部と、前記ベース部の外側に立設され且つ前記ヘルメットの縁部の外側に接触する断面略く字板状の外側爪部とを有していることを特徴とする作業用マスク装着具。
【請求項１０】
請求項９記載の作業用マスク装着具において、前記外側爪部及び／又はベース部には、前記ヘルメットの縁部に安定して取り付けるための環状のクッション部材が通されていることを特徴とする作業用マスク装着具。
【請求項１１】
請求項９記載の作業用マスク装着具において、溝無しヘルメットの縁部を保持可能な先端部を有した第１のアタッチメント部材を備え、第１のプレートの保持部のベース部には、第１のアタッチメント部材の基端部を第１のプレートに沿って上から装着するための穴が形成されていることを特徴とする作業用マスク装着具。
【請求項１２】
請求項９記載の作業用マスク装着具において、溝付きヘルメットの縁部を引っ掛けるための断面Ｌ字状の先端部を有した第２のアタッチメント部材を備え、第１のプレートの保持部のベース部には、第２のアタッチメント部材の基端部を第１のプレートに沿って上から装着するための穴が形成されていることを特徴とする作業用マスク装着具。
【請求項１３】
ヘルメットの縁部の左右耳部位に各々装着された請求項１乃至１２の作業用マスク装着具と、各作業用マスク装着具の第２のプレートの端部に各々接続された作業用マスクとを備えることを特徴とするヘルメット。
【請求項１４】
請求項１１記載のヘルメットにおいて、請求項１乃至８の作業用マスク装着具が縁部の左右耳部位に各々装着されているのではなく一体的になっていることを特徴とするヘルメット。
【発明の詳細な説明】
【技術分野】
【０００１】
本発明はヘルメットを被った状態で防塵マスクや防毒マスク等の作業用マスクを取り外しすることが可能な作業用マスク装着具等に関する。
【背景技術】
【０００２】
本願発明者は、工事現場等の人体に悪影響のある環境下で従事する作業員がヘルメットのみで作業用マスクを装着しない割合が依然として高いという実態に鑑み、ヘルメットを被った状態で作業用マスクを取り外しすることが可能な作業用マスク装着具の発明を既に提案している（特許文献１）。
【特許文献１】特開２００７−７５５２２号公報
【発明の開示】
【発明が解決しようとする課題】
【０００３】
しかしながら、このような作業用マスク装着具については非常に便利であり好評を得るに至っているものの、作業員の口元の位置に大きな個人差があることから、作業用マスクの紐と作業用マスク装着具とが必ずしも一直線状にならず、これに伴って作業用マスクが正しく装着されないケースがある。よって、ヘルメットの縁部への取り付け方を工夫する等して微調整を行なうことが必要となり、この作業が煩わしく、作業用マスクの装着率の向上に悪影響を及ぼしている。
【０００４】
もっとも、ヘルメットへの取り付け角度を微調整可能なように設計変更をすると、微調整を行なった作業員については以後問題なく使用することが可能であるとはいえ、別の作業員が使用をするときには再度微調整を行なうことが必要となり、必ずしも抜本的な解決方法とはいえない。
【０００５】
本発明は上記事情に鑑みて創案されたもので、ヘルメットへの取り付け角度の微調整を行なう必要がない作業用マスク装着具及びこれを用いたヘルメットを提供することにある。
【課題を解決するための手段】
【０００６】
本発明に係る作業用マスク装着具は、作業用マスクとヘルメットとの間を接続する作業用マスク装着具であって、ヘルメットの縁部を保持可能な保持部が一端側に設けられた第１のプレートと、一端側が第１のプレートの他端側に折り返し可能に連結され且つ作業用マスクの端部が他端側に接続可能である第２のプレートとを具備し、第１、第２のプレートには両プレートの外面同士が重なる閉状態を解除可能に維持するための第１の固定手段が設けられ、第２のプレートの全体又は一部が第１のプレートに対して開状態だけでなく閉状態においても回動可能になっている。
【０００７】
この発明によると、作業用マスクを第２のプレートに接続して、第１のプレートの保持部を用いてヘルメットの端部に装着する。この状態で、第１、第２のプレートを閉状態にすると、両プレートの外面同士が重なり、これに伴って、ヘルメットと作業用マスクとの距離が小さくなり、作業用マスクが作業者の口元を覆うことになる。この過程で作業用マスクに引っ張られて第２のプレートの全体又はその一部がその方向に自然と傾き、その結果、第２のプレートの全体又は一部と作業用マスクの端部とが一直線状となり、作業用マスクが正しく装着される。これとは逆に、第１、第２のプレートを開状態にすると、ヘルメットと作業用マスクとの距離が大きくなり、第２のプレートの全体又はその一部が作業用マスクの自重により下方に傾くとともに、作業用マスクが作業者の口元から離れて垂れ下がることになる。
【０００８】
よって、作業員の口元の位置に大きな個人差があってもヘルメットへの取り付け角度の微調整を行なうことなく、作業用マスクを正しく装着することが可能になる。これに伴って、使い勝手が良好になり、作業用マスクの装着率を向上させることが可能になる。
【０００９】
好ましくは、第１の固定手段については、第２のプレートに設けられた爪部と、第１のプレートのプレート本体部の面上に形成され且つ爪部が挿入された状態でその爪部と係合する円弧穴とを有した構成にするとすると良い。
【００１０】
この発明によると、爪部がガイドと係合片との両方を兼ねていることから、簡単な構成となっており、この面で低コスト化を図ることが可能になる。
【００１１】
第２のプレートの例については、一端側が第１のプレートの他端側に折り返し可能に連結された固定プレート部と、一端側が固定プレート部の他端側に回動自在に連結され且つ作業用マスクの端部が他端側に接続可能である可動プレート部とを有した構成にすると良い。好ましくは、第２のプレートの固定プレート部には、可動プレート部の一部に接触してその回動角範囲を規制するストッパーを設けると良い。
【００１２】
この発明によると、可動プレート部の回動角範囲がストッパーにより規制されることから、第１、第２のプレートが乱暴に開状態にされたとしても、可動プレート部がストッパーにより確実に当て止めされ、これに伴って作業用マスクが作業員の胸等に大きな力で接触せず、この面で使い勝手が良好になる。
【００１３】
第２のプレートの例については、固定プレート部及び可動プレート部から構成されたメインプレートと、一端側がメインプレートの他端側に折り返し可能に連結され且つ他端側に作業用マスクの紐が通される挿通用穴が形成されたサブプレートとを備えたものを用いると良い。この場合、メインプレート、サブプレートには両プレートの内面同士が重なる閉状態を解除可能に維持するための第２の固定手段を設けるようにする。
【００１４】
この発明によると、作業用マスクの紐がサブプレートに形成された挿通用穴に通されていることから、第１、第２のプレートが開状態であるときに作業用マスクが作業者側に近づいて邪魔になることがない。また閉状態であるときの作業用マスクの装着もスムーズに行なうことが可能になる。これらの面で使い勝手が一層良好になる。
【００１５】
第２の固定手段の例については、メインプレートの可動プレート部の内面上に設けられた凸部と、サブプレートの内面上に形成され且つ凸部が挿入された状態で当該凸部と係合する凹部とを有した構成とすると良い。
【００１６】
第１のプレートの例については、保持部がプレート本体部の厚み方向に向けて張り出して設けられた構成とすると良い。
【００１７】
この発明によると、第１のプレート等が作業者の顔に接触せず距離を持たせることが可能になることから、作業中に汗をかいても不快感を催したりすることが殆どなくなる。また眼鏡をかけた作業者であっても眼鏡のテンプルに接する部分が殆どなく、装着感が良好になる。これらの面で使い勝手が一層良好になる。
【００１８】
第１のプレートの保持部の例については、ヘルメットの縁部に沿ってその下方に対向配置されるベース部と、このベース部の内側に立設され且つヘルメットの縁部の内側に接触する直線板状の内側爪部と、ベース部の外側に立設され且つヘルメットの縁部の外側に接触する断面略く字板状の外側爪部とを有した構成とすると良い。
【００１９】
この発明によると、ヘルメットの縁部が内側爪部と外側爪部との間に挟んで保持するようになっているので、使用可能なヘルメットの種類等の範囲が広くなり、この面で一層使い勝手が良くなる。
【００２０】
このような保持部を有する第１のプレートの場合、好ましくは、外側爪部及び／又はベース部には、ヘルメットの縁部に安定して取り付けるための環状のクッション部材を通すようにすると良い。
【００２１】
この発明によると、ヘルメットの縁部に安定して取り付ける可能であるだけでなく、クッション部材の厚みを調整することにより、使用可能なヘルメットの種類等の範囲が一層広くなり、この面で一層使い勝手が良くなる。
【００２２】
また、溝無しヘルメットの縁部に取り付ける場合、溝無しヘルメットの縁部を保持可能な先端部を有した第１のアタッチメント部材を備えるようにすると良い。この場合、第１のプレートの保持部のベース部には、第１のアタッチメント部材の基端部を第１のプレートに沿って上から装着するための穴を形成するようにする。同様に溝付きヘルメットの縁部に取り付ける場合、溝付きヘルメットの縁部を引っ掛けるための断面Ｌ字状の先端部を有した第２のアタッチメント部材を備えるようにすると良い。この場合、第１のプレートの保持部のベース部には、第２のアタッチメント部材の基端部を第１のプレートに沿って上から装着するための穴を形成するようにする。
【００２３】
これらの発明によると、溝付きヘルメット／溝無しヘルメットの種類に関係なく作業用マスク装着具をこれらのヘルメットの端部に確実に取り付ける可能となることから、使用可能なヘルメットの種類等の範囲が一層広くなり、この面で一層使い勝手が良くなる。
【００２４】
本発明に係るヘルメットは、同ヘルメットの縁部の左右耳部位に各々装着された上記した作業用マスク装着具と、各作業用マスク装着具の第２のプレートの端部に各々接続された作業用マスクとを備えている。また、作業用マスク装着具が縁部の左右耳部位に各々装着されているのではなく一体的にしても良い。
【００２５】
これらの発明によると、上記した作業用マスク装着具と同様の効果を奏することになる。即ち、作業員の口元の位置に大きな個人差があっても微調整を行なうことなく、作業用マスクを正しく装着することが可能になる。これに伴って、使い勝手が良好になり、作業用マスクの装着率を向上させることが可能になる。
【発明を実施するための最良の形態】
【００２６】
以下、本発明の実施の形態を図１乃至図１２を参照して説明する。なお、図中に示された各構成部と特許請求の範囲に記載された発明特定事項との対応関係は下記の符号の説明の欄において併せて示すことにする。
【００２７】
図１は溝無しヘルメットを被った状態を示す概略的側面図、図２は溝付きヘルメットを被った状態を示す概略的側面図である。Ａ１、Ａ２は溝無し型、溝付き型のヘルメット、ａ１、ａ２はヘルメットＡ１、Ａ２の溝部、１００は作業用マスク装着具、２００は防塵マスク、防毒マスク等の作業用マスク、３００は作業用マスク２００と一緒に使用されることが多いゴーグルである。但し、図１及び図２中において作業用マスク装着具１００の片方しか図示されていない。
【００２８】
ヘルメットＡ１はＡＢＳ、ＰＣ、ＰＥ又はＥＰＦ製の保護帽であって、図１に示すようにヘルメットＡ１の縁部ａ１の左右耳部位に各々装着された作業用マスク装着具１００，１００と、作業用マスク装着具１００，１００に接続可能な作業用マスク２００とを備えている。作業用マスク２００の左右両側には上下２連のゴムバンド等の伸縮帯２０１を有している。
【００２９】
ヘルメットＡ２はヘルメットＡ１と同様の構成であって、図２に示すようにヘルメットＡ２の縁部ａ２の左右耳部位に各々装着された作業用マスク装着具１００，１００と、作業用マスク装着具１００，１００に接続可能な作業用マスク２００とを備えている。両ヘルメットの相違については、作業用マスク装着具１００に使用されるアタッチメント部材３０、４０だけである。ヘルメットＡ１にはアタッチメント部材３０が使用される一方、ヘルメットＡ２にはアタッチメント部材４０が使用される。
【００３０】
以下、作業用マスク装着具１００の構成をヘルメットＡ１に使用されるものを中心として説明する。図３はヘルメットＡ１の作業用マスク装着具１００の開状態を示す正面図、図４は作業用マスク装着具１００の開状態を示す裏面図、図５は作業用マスク装着具１００の閉状態を示す正面図である。１０は第１のプレート、２０は固定プレート部２１１及び可動プレート部２１２等を有した第２のプレート、３０はアタッチメント部材である。
【００３１】
作業用マスク装着具１００は、図３に示すように作業用マスク２００とヘルメットＡ１との間を接続するのに使用されるプラスチック等の樹脂成形品の装置であって、ヘルメットＡ１の縁部ａ１を保持可能な保持部１２が一端側に設けられた第１のプレート１０と、一端側が第１のプレート１０の他端側に折り返し可能に連結され且つ作業用マスク２００の伸縮帯２０１（図１参照）の端部が他端側に接続可能である第２のプレート２０と、ヘルメットＡ１の縁部ａ１を保持可能な保持部材３１を有したアタッチメント部材３０を備えている。なお、アタッチメント部材３０については、作業用マスク装着具１００をヘルメットＡ１の縁部ａ１に確実に装着するための任意の部品である。
【００３２】
第１のプレート１０及び第２のプレート２０については、図３に示されているように全体として略く字状に折り曲げられた形状となっている。
【００３３】
第１、第２のプレート１０，２０には、各プレートの外面（図２に示す正面）同士が重なる閉状態を解除可能に維持するための手段として、第２のプレート２０の可動プレート部２１２に設けられた爪部２１３と、第１のプレート１０のプレート本体部１１の面上に形成され且つ爪部２１３が挿入された状態でこれと係合する円弧穴１３とを有している。この結果、第２のプレート２０の可動プレート部２１２が第１のプレート１０に対して開状態だけでなく閉状態においても回動可能になっている（図３及び図５参照）。
【００３４】
第１のプレート１０は、作業者の顔の頬の面に沿うように若干湾曲させた板状のプレート本体部１１と、ヘルメットＡ１の縁部ａ１に対して平行に配置される保持部１２とを有している。
【００３５】
プレート本体部１１については、保持部１２に対して約３０°〜５０°傾いた位置関係に配置されている。プレート本体部１１の面上中心部分には上記した円弧穴１３が貫通して形成されている。プレート本体部１１の内面には、アタッチメント部材３０を着脱自在に固定するための断面三角状の歯１４が複数列形成されている（図４及び図１０参照）。プレート本体部１１の他端側には、第２のプレート２０の一端側と開閉自在に連結するためのヒンジ軸部１５、１５（図４及び図７参照）が並設されている。
【００３６】
プレート本体部１１の端部にはゴーグル３００の伸縮帯３１０（図１参照）を通すための切欠きフック穴１６が形成されている。切欠きフック穴１６はゴーグル３００の伸縮帯３１０の幅に対応した幅寸法の円弧状穴であり、その一部を切り欠いた部分が伸縮帯３１０の挿入溝になっている。なお、ゴーグル３００を使用しないときには切欠きフック穴１６を省略すると良い。
【００３７】
図６は第１のプレート１０の保持部１２の平面図である。保持部１２は、同図に示すようにプレート本体部１１の一端側に厚み方向に向けて張り出して設けられている（図１０参照）。保持部１２は、具体的には、ヘルメットＡ１の縁部ａ１に沿ってその下方に対向配置されるベース部１２１と、ベース部１２１の内側に立設され且つヘルメットＡ１の縁部ａ１の内側に接触する直線板状の内側爪部１２２，１２２（図１０参照）と、ベース部１２１の外側に立設され且つヘルメットＡ１の縁部ａ１の外側に接触する断面略く字板状の外側爪部１２３，１２３（図１０参照）とを有している。
【００３８】
即ち、ヘルメットＡ１の縁部ａ１が内側爪部１２２、１２２と外側爪部１２３，１２３との間に弾性的に挟み付け、これにより作業用マスク装着具１００がヘルメットＡ１の縁部ａ１に保持可能になっている。
【００３９】
保持部１２のベース部１２１の中央部における外側爪部１２３と外側爪部１２３との間の位置には、アタッチメント部材３０の基端部をプレート本体部１１に沿って上から挿入するための穴１２４が形成されている（図１０参照）。
【００４０】
このような保持部１２にはヘルメットＡ１の縁部ａ１に安定して取り付けるための環状のゴム製のクッション部材５０が合計４個設けられている。具体的には、クッション部材５０が外側爪部１２２、１２２の各先端部に各々通されている他、ベース部１２１の内側爪部１２２と外側爪部１２２との間にも各々通されている。
【００４１】
第２のプレート２０は、図３に示すようにメインプレート２１とサブプレート２２とを有しており、サブプレート２２の一端側がメインプレート２１の他端側に折り返し可能に連結されている。第２のプレート２０については、第１のプレート１０のプレート本体部１１に対して約１２０°〜１５０°傾いた位置関係に配置されている。
【００４２】
メインプレート２１、サブプレート２２には、各プレートの内面（図４に示す裏面）同士が重なる閉状態を解除可能に維持するための手段として、図４に示すように可動プレート部２１２の内面上に設けられた凸部２１２１（図７参照）と、サブプレート２２の内面上に形成され且つ凸部２１２１が挿入された状態でこれと係合する凹部２２３（図７参照）とを有している。凸部２１２１の先端部分には凹部２２３の内面に付勢接触する二股状の係合片２１２５（図７参照）が一体的に形成されている。
【００４３】
メインプレート２１は、図３に示すように一端側が第１のプレート１０の他端側に折り返し可能に連結された固定プレート部２１１と、一端側が固定プレート部２１１の他端側に回動自在に連結され且つ作業用マスク２００の伸縮帯２０１の端部が他端側に接続可能である可動プレート部２１２とを有した構成となっている。
【００４４】
固定プレート部２１１の一端側には第１のプレート１０のヒンジ軸部１５、１５の対となるヒンジ軸受け２１１１、２１１１が並設されている。固定プレート部２１１の内面の他端側には可動プレート部２１２を軸支するためのビスである回動軸２１１２が設けられている。固定プレート部２１１の他端側の両側面には可動プレート部２１２の両端部に接触してその回動角範囲を規制するストッパー２１１３、２１１３が形成されている。
【００４５】
可動プレート部２１２の一端側の中央部には略長方体状の凸部２１２１（図７参照）が固定プレート部２１１の内面に重なるように設けられており、凸部２１２１の中心部分に回動軸２１１２が通されている。可動プレート部２１２と固定プレート部２１１とは同一平面上に配置された状態で、可動プレート部２１２が回動軸２１１２を中心として所定範囲で回動可能になっている。
【００４６】
可動プレート部２１２の他端側には開閉用押え片２１２２が斜め上向き（図７参照）に形成されている。開閉用押え片２１２２の近くには上記した爪部２１３が設けられている。爪部２１３の両側には作業用マスク２００の伸縮帯２０１の端部を接続するための固定用穴２１２３、２１２３が並んで形成されている。
【００４７】
固定用穴２１２３は、作業用マスク２００の伸縮帯２０１の端部をＵ字状に折り返して固定するための上下一対の溝穴２１２３ａ、２１２３ｂであって、溝穴２１２３ａは穴寸法が幅方向（図３中右方向）に向けて徐々に小さくなっており、溝穴２１２３ｂは穴寸法が上記とは反対の方向に徐々に小さくなっている。
【００４８】
可動プレート部２１２の他端側には、サブプレート２３の一端側と開閉自在に連結するためのヒンジ軸部２１２４，２１２４が固定用穴２１２３、２１２３に並べて設けられている。
【００４９】
サブプレート２２の一端側には、可動プレート部２１２のヒンジ軸部２１２４，２１２４の対となるヒンジ軸受け２２１，２２１が並設されている。サブプレート２２の他端側には、作業用マスク２００の伸縮帯２０１が通される挿通用穴２２２、２２２が並べて形成されている。
【００５０】
図７は作業用マスク装着具１００の一部省略概略側面図である。同図に示されているように、第１のプレート１０と第２のプレート２０とがＡ方向に開閉可能であり、第２のプレート２０の爪部２１３が第１のプレート１０の円弧穴１３に挿入されると、第１のプレート１０と第２のプレート２０との閉状態が解除可能に維持されるようになっている。
【００５１】
また、第２のプレート２０のメインプレート２１とサブプレート２２とがＢ方向に開閉可能であって、メインプレート２１の凸部２１２１が、サブプレート２２の凹部２２３に挿入されると、メインプレート２１とサブプレート２２との閉状態が解除可能に維持されるようになっている。
【００５２】
図８はアタッチメント部材３０の側面図及び正面図である。図１０はアタッチメント部材３０を第１のプレート１０の保持部１２に装着した様子を示す第１のプレート１０の模式的断面図である。
【００５３】
アタッチメント部材３０は、作業用マスク装着具１００を溝無しヘルメットに取り付ける場合に使用する部品であって、図８に示すようにヘルメットＡ１の縁部ａ１を保持可能な断面Ｕ字状の保持部材３１と、保持部材３１の下部に形成されており且つ第１のプレート１０の保持部１２の穴１２４に挿入可能な板状の装着部材３２とを有している。装着部材３２の外面には、第１のプレート１０の歯１４に係合可能な断面三角状の歯３２１が複数列形成されている。
【００５４】
上記した保持部１２だけでも作業用マスク装着具１００をヘルメットＡ１の縁部ａ１に取り付けることは可能であるが、溝無しヘルメットの種類等の相違により確実に固定できない虞れがあるときにはアタッチメント部材３０を使用するようにする。
【００５５】
この場合、図１０に示すようにアタッチメント部材３０を第１のプレート１０の保持部１２の穴１２４に上から挿入すると、装着部材３２の歯３２１が第１のプレート１０の歯１４に噛み合って係合される。アタッチメント部材３０を取り外す際には、装着部材３２をプレート本体部１１の内面から若干浮かせながら引き抜くようにする。
【００５６】
アタッチメント部材３０の保持部材３１がヘルメットＡ１の縁部ａ１の曲面に沿った形状になっていることから、保持部１２の本来の機能と併せて、溝無しヘルメットの形状や大きさが多少変わってもヘルメットＡ１の縁部ａ１を確実に保持可能となる。
【００５７】
図９はアタッチメント部材４０の側面図及び正面図である。図１１はアタッチメント部材４０を第１のプレート１０の保持部１２に装着した様子を示す第１のプレート１０の模式的断面図である。
【００５８】
アタッチメント部材４０は、作業用マスク装着具１００を溝付きヘルメットに取り付ける場合に使用する部品であって、図９に示すようにヘルメットＡ２の縁部ａ２を保持可能な断面Ｌ字状の保持部材４１と、保持部材４１の下部に形成されており且つ第１のプレート１０の保持部１２の穴１２４に挿入可能な板状の装着部材４２とを有している。装着部材４２の外面には、第１のプレート１０の歯１４に係合可能な断面三角状の歯４２１が複数列形成されている。
【００５９】
上記した保持部１２だけでも作業用マスク装着具１００をヘルメットＡ２の縁部ａ２に取り付けることは可能であるものの、溝付きヘルメットの種類等によっては確実に固定できない虞れがあるときには、アタッチメント部材４０を使用するようにする。
【００６０】
この場合、図１１に示すようにアタッチメント部材４０を第１のプレート１０の保持部１２の穴１２４に上から挿入すると、装着部材４２の歯４２１が第１のプレート１０の歯１４に噛み合って係合される。アタッチメント部材４０を取り外す際には、装着部材４２をプレート本体部１１の内面から若干浮かせながら引き抜くようにする。
【００６１】
アタッチメント部材４０の保持部材４１がヘルメットＡ２の縁部ａ２を上から押さえ付ける形状になっていることから（図１１参照）、保持部１２の本来の機能と併せて、溝付きヘルメットの形状や大きさが多少変わってもヘルメットＡ２の縁部ａ２を確実に保持可能となる。
【００６２】
このような構成されたヘルメットＡ１の使用方法を図１等を参照して説明する。まず、作業用マスク装着具１００、１００に作業用マスク２００の伸縮帯２０１の両端部を各々接続する。この際、図７中破線で示すように作業用マスク２００の伸縮帯２０１の端部を作業用マスク装着具１００のサブプレート２２の挿通用穴２２２に通した後、例えば、メインプレート２１の固定用穴２１２３ｂ、２１２３ａに順次的に通すようにする。固定用穴２１２３ａ及び２１２３ｂの穴形状により、作業用マスク２００の伸縮帯２０１が簡単に抜けることがない。
【００６３】
なお、アタッチメント部材３０を使用することが必要であるときは、作業用マスク装着具１００、１００の各々にアタッチメント部材３０を予め装着する。
【００６４】
次に、作業者がヘルメットＡ１を被り、ヘルメットＡ１の縁部ａ１に作業用マスク装着具１００、１００を開状態のままで若干斜めにしながら下から差し込むようにして各々取り付ける。作業用マスク２００と共にゴーグル３００を使用する場合には、ゴーグル３００の伸縮帯３１０をプレート本体部１１の切欠きフック穴１１３に通して、ゴーグル３００を付けるようにする。図１（Ｂ）はこの状態を示している。
【００６５】
そして、作業をする際には、作業用マスク装着具１００、１００の開閉用押え片２１２２を指で掴んでメインプレート２１を第１のプレート１０の方に各々倒し、メインプレート２１の外面を第１のプレート１０の外面に重ね合わす。第２のプレート２０の爪部２１３が第１のプレート１０の円弧穴１３に入り込むと、爪部２１３の弾性力により第１のプレート１０と第２のプレート２０との閉状態が維持される。
【００６６】
と同時に、作業用マスク２００の伸縮帯２０１がサブプレート２２を押圧することになり、これによりサブプレート２２がメインプレート２１の方に各々倒されて閉状態になる。即ち、サブプレート２２の内面とメインプレート２１の内面とが重なり合う。メインプレート２１の凸部２１２１がサブプレート２２の凹部２２３に入り込むと、凹部２２３に形成された係合片２１２５の弾性力によりサブプレート２２とメインプレート２１との閉状態が維持される。
【００６７】
このように作業用マスク装着具１００、１００の第１のプレート１０及び第２のプレート２０が閉状態にされると、自重で落下状態にあった作業用マスク２００が作業者の口元に向けて引っ張られ、最終的に作業者の口元に装着される。この際、可動プレート部２１２及びサブプレート２２が作業用マスク２００の伸縮帯２０１に引っ張られてその方向に自然と傾き、その結果、可動プレート部２１２及びサブプレート２２と作業用マスク２００の伸縮帯２０１とが一直線状となる。図１（Ａ）はこの状態を示している。
【００６８】
このように可動プレート部２１２及びサブプレート２２と作業用マスク２００の伸縮帯２０１とが一直線状になるのは、口元の位置に関する作業員の個人差に全く関係ないことから、従来の場合とは異なり、ヘルメットＡ１への取り付け角度の微調整を行なうことなく、作業用マスク２００を正しく装着することが可能になる。
【００６９】
上記とは反対に作業用マスク３００を使用しないときには、作業用マスク装着具１００、１００の開閉用押え片２１２２を指で掴んで第２のプレート２０を上記とは逆の方向に各々倒す。すると、第２のプレート２０の爪部２１３が第１のプレート１０の円弧穴１３から外れて、作業用マスク２０の自重により第１のプレート１０、第２のプレート２０が開状態になる。これに伴って、メインプレート２１の凸部２１２１がサブプレート２２の凹部２２３から外れ、作業用マスク２０の自重によりサブプレート２２、メインプレート２１が開状態になる。
【００７０】
このように作業用マスク装着具１００、１００の第１のプレート１０及び第２のプレート２０が開状態にされると、可動プレート部２１２及びサブプレート２２が作業用マスク２００の自重により下方に向く。これに伴って、作業用マスク２００が作業者の口元から離れて落下する。図１（Ｂ）はこの状態を示している。作業用マスク２００は作業者の顎の下方位置の顔よりやや前方に位置することから、特に邪魔になるようなことがない。
【００７１】
また、図１（Ｂ）に示した状態で、ヘルメットＡ１を脱ぐようにすると、作業用マスク２００が作業者の顎付近に接触して、ヘルメットＡ１が作業用マスク装着具１００、１００から外れ、これに伴って、作業用マスク装着具１００、１００が作業用マスク２００及びゴーグル３００と一緒に取り外される。
【００７２】
なお、ヘルメットＡ２の使用方法についても上記と全く同様であるので、その説明は省略する。
【００７３】
上記したように作業員の口元の位置に大きな個人差があっても従来とは異なりヘルメットＡ１又はＡ２への取り付け角度の微調整を行なうことなく、作業用マスク２００を正しく装着することが可能になる。第１のプレート１０及び第２のプレート２０が作業者の顔から浮いていることから、作業者が使用中に汗をかいても不快感を催したりすることが殆どなくなる。作業用マスク２００やゴーグル３００で作業者の頭全体が締め付けられるという感覚もなくなり、装着感が非常に良好になる。特に、眼鏡をかけた作業者であっても、眼鏡のテンプルに接する部分がなく、装着感が悪くなることも殆どない。
【００７４】
また、作業中において作業用マスク２００を付けたり外したりする際、ヘルメットＡ１又はＡ２をその都度脱ぐ必要がなくなる。これはゴーグル３００を付け外したりするときも同様である。作業用マスク装着具１００，１００を取り付けた状態でヘルメットＡ１又はＡ２を脱ぐと、作業用マスク装着具１００、作業用マスク２００及びゴーグル３００も一緒に取り外される。
【００７５】
それ故、従来例による場合とは異なり、使い勝手が非常に良好になり、人体に悪影響のある環境下であって、作業用マスク２００の装着率を格段に向上させることが現実に可能になる。また、アタッチメント部材３０、４０を使い分けることにより、溝なしヘルメット、溝なしヘルメットに共用して適用可能になり、この面でも使い勝手が良好となる。メーカーの立場からすると、各種のアタッチメント部材を準備しておけば、作業用マスク装着具１００の適用可能なヘルメットの種類等の範囲が広くなり、低コスト化を図る上でもメリットがある。
【００７６】
次に、ヘルメットの変形例を図１２を参照して説明する。図１２はヘルメットの使用状態を説明するための溝無しヘルメットを被った状態を示す概略的側面図である。
【００７７】
ここに掲げるヘルメットＡ３は、作業用マスク装着具１０’，１０’が縁部ａ３の左右耳部位に各々装着されているのではなくヘルメットＡ３に一体的になっている。作業用マスク装着具１０’が上記した作業用マスク装着具１０と大きく異なるのは、保持部１２がなくプレート本体部１１の一端側がヘルメットＡ３の縁部ａ３の左右耳部位に固定されている点である。なお、ヘルメットＡ３と作業用マスク装着具１０’とを別体とし、ネジ等により両者を接続して一体的にするようにしても当然にかまわない。
【００７８】
このように作業用マスク装着具１０’がヘルメットＡ３に固定されていることから、アタッチメント部材３０、４０については不要となる。これ以外については上記した作業用マスク装着具１０と全く同様であるので、その詳細については説明を省略することにする。
【００７９】
なお、本発明に係る作業用マスク装着具は上記実施形態に限定されず、第２のプレートの一部が第１のプレートに対して開状態だけでなく閉状態においても回動可能になっている限り、どのように設計変更してもかまわない。また、第１のプレートについては、ヘルメットの縁部を保持可能である限り、保持部の構造、全体の形状及び材質等が問われることはなく、ヘルメットの種類等に合わせて適宜設計変更すれば良い。第２のプレートについては、その全体が第１のプレートに対して回動自在に設計変更しても良く、一端側に第１のプレートに折り返し可能に連結され且つ作業用マスクの端部が他端側に接続可能である限り、サブプレートの有無、プレートの連結方法、作業用マスクの接続方法、全体の形状及び材質等が問われることがない。作業用マスクの種類に応じて適宜設計すれば良い。第１、第２の固定手段については、両プレートの閉状態を解除可能に維持できる限り、どのような固定方法を採用しても良く、例えば、磁石やスプリング等を用いてもかまわない。
【００８０】
本発明に係るヘルメットは上記実施形態に限定されず、作業用マスク装着具がヘルメットの縁部に設けられている限り、その固定方法や固定位置等についてはヘルメットの種類に応じて適宜設計変更すれば良い。特に作業用マスク装着具をヘルメット本体に完全に固定するのではなく、作業用マスク装着具を使用しないときには、それが邪魔にならないように開閉自在に設ける形態をとってもかまわない。また、作業用マスクの種類やゴーグルの有無についても問われない。
【図面の簡単な説明】
【００８１】
【図１】本発明の実施の形態に係るヘルメットの使用状態を説明するための溝無しヘルメットを被った状態を示す概略的側面図であって、（Ａ）は作業用マスク装着具が閉状態である状態を示す図、（Ｂ）は作業用マスク装着具が開状態である状態を示す図である。
【図２】図１と同様に溝付きヘルメットを被った状態を示す概略的側面図であって、（Ａ）は作業用マスク装着具が閉状態である状態を示す図、（Ｂ）は作業用マスク装着具が開状態である状態を示す図である。
【図３】図１に示すヘルメットの作業用マスク装着具の開状態を示す正面図である。
【図４】同作業用マスク装着具の開状態を示す裏面図である。
【図５】同作業用マスク装着具の閉状態を示す正面図である。
【図６】同作業用マスク装着具の第１のプレートの保持部の平面図である。
【図７】同作業用マスク装着具の一部省略概略的側面図である。
【図８】同作業用マスク装着具の溝無しヘルメット用のアタッチメント部材を示す図であって、（Ａ）は側面図、（Ｂ）は正面図である。
【図９】図２に示すヘルメットに使用される溝付きヘルメット用のアタッチメント部材を示す図であって、（Ａ）は側面図、（Ｂ）は正面図である。
【図１０】図８に示す溝無しヘルメット用のアタッチメント部材を第１のプレートの保持部に装着した様子を示す第１のプレートの模式的断面図である。
【図１１】図９に示す溝付きヘルメット用のアタッチメント部材を第１のプレートの保持部に装着した様子を示す第１のプレートの模式的断面図である。
【図１２】同ヘルメットの変形例を説明するための図１に対応する図であって、（Ａ）は作業用マスク装着具が閉状態である状態を示す図、（Ｂ）は作業用マスク装着具が開状態である状態を示す図である。
【符号の説明】
【００８２】
Ａ１  ヘルメット（溝無しヘルメット）
Ａ２  ヘルメット（溝付きヘルメット）
Ａ３  ヘルメット
ａ１，ａ２，ａ３  溝部
１００，１００’作業用マスク装着具
１０  第１のプレート
１１  プレート本体部
１２  保持部
１２４  穴
１３  円弧穴（第１の固定手段の一部）
２０  第２のプレート
２１  メインプレート
２１１  固定プレート部
２１２  可動プレート部
２１２１  凸部（第２の固定手段の一部）
２１３  爪部（第１の固定手段の一部）
２２  サブプレート
２２２  挿通用穴
２２３  凹部（第２の固定手段の一部）
３０  アタッチメント部材（第１のアタッチメント部材）
３１  保持部材（第１のアタッチメント部材の先端部）
４０  アタッチメント部材（第２のアタッチメント部材）
４１  保持部材（第２のアタッチメント部材の先端部）
２００  作業用マスク
２０１  伸縮帯（作業用マスクの端部：紐）
【図１】
0004926925.tif 000002
【図２】
0004926925.tif 000003
【図３】
0004926925.tif 000004
【図４】
0004926925.tif 000005
【図５】
0004926925.tif 000006
【図６】
0004926925.tif 000007
【図７】
0004926925.tif 000008
【図８】
0004926925.tif 000009
【図９】
0004926925.tif 000010
【図１０】
0004926925.tif 000011
【図１１】
0004926925.tif 000012
【図１２】
0004926925.tif 000013